(57)【特許請求の範囲】
【請求項１】
押鍵操作される鍵本体部と、この鍵本体部の後端部に形成されて前記鍵本体部の押鍵操作に応じて弾性変形する弾性変形部と、この弾性変形部の後端部に形成されて鍵盤シャーシ上に固定される連結固定部とを備えた鍵盤装置において、
前記連結固定部の上部には、ほぼ円弧状の凸曲面部が形成され、この凸曲面部における前記鍵本体部側に位置する端部には、前記凸曲面部上に部品を当接させて係止する係止部が一体に形成されていることを特徴とする鍵盤装置。
【請求項２】
押鍵操作される鍵本体部と、この鍵本体部の後端部に形成されて前記鍵本体部の押鍵操作に応じて弾性変形する弾性変形部と、この弾性変形部の後端部に形成されて鍵盤シャーシ上に固定される連結固定部とを備えた鍵盤装置において、
前記連結固定部の後部側に位置する箇所の前記鍵盤シャーシ上には、その上方に突出して前記連結固定部上を乗り越えて前記連結固定部の前側に到達する支持部が設けられ、
前記連結固定部の前側に位置する前記支持部の先端には、部品を係止する係止部が形成されていることを特徴とする鍵盤装置。
【請求項３】
前記連結固定部の上部には、ほぼ円弧状の凸曲面部が形成され、前記支持部は、前記連結固定部の上部に対応する箇所が前記凸曲面部に対応するほぼ円弧状の凸曲面部に形成され、前記係止部は、前記部品を前記支持部の前記凸曲面部の上面に当接させて係止する構造であることを特徴とする請求項２に記載の鍵盤装置。
【発明の詳細な説明】
【０００１】
【発明の属する技術分野】
この発明は、電子ピアノなどの電子鍵盤楽器の鍵盤装置に関する。
【０００２】
【従来の技術】
従来、電子ピアノなどの電子鍵盤楽器においては、楽器ケース内の鍵盤シャーシ上に複数の白鍵および複数の黒鍵を並列に配置した鍵盤装置を備えている。
この鍵盤装置は、低コスト化を図るために、複数の白鍵を一体に成形した白鍵鍵盤と、複数の黒鍵を一体に成形した黒鍵鍵盤とを組み合わせて鍵盤シャーシ上に一度に組み付けるように構成されている。
図７はその一例を示した図である。この電子鍵盤楽器は、楽器ケース１が下ケース２と上ケース３とからなり、下ケース２に鍵盤シャーシ部４が形成され、この鍵盤シャーシ部４上に鍵盤装置５が配設された構成になっている。
【０００３】
この鍵盤装置５は、鍵盤シャーシ部４上に白鍵鍵盤６と黒鍵鍵盤７を組み合わせて取り付けた構造になっている。すなわち、白鍵鍵盤６は複数の白鍵を並列に配置した状態で一体に形成されており、黒鍵鍵盤７は、複数の黒鍵を並列に配置した状態で一体に形成されている。そして、白鍵鍵盤６と黒鍵鍵盤７とは、上下に組み合わされることにより、複数の白鍵と複数の黒鍵とが並列に配置された状態で、鍵盤シャーシ部４上に取り付けられている。
【０００４】
この場合、白鍵鍵盤６は、押鍵操作される中空状の鍵本体部１０と、この鍵本体部１０の後端部（図７では右端部）にその後方に向けてほぼ水平に突出形成され、かつ押鍵操作時に弾性変形する薄肉形状の弾性変形部１１と、この弾性変形部１１の後端部に形成されて鍵盤シャーシ部４上に固定される白鍵用の連結固定部１２とからなり、これらが合成樹脂により一体に形成されている。すなわち、白鍵用の連結固定部１２は、鍵本体部１０の配列方向に沿って連続して形成され、複数の鍵本体部１０が並列に配置された状態で、その各弾性変形部１１の後端部がそれぞれ連結形成されている。なお、この白鍵鍵盤６は、実際には鍵本体部１０を１つ置きに並列に配置した状態で一体成形し、これを２組作成して組み合わせた構造になっている。
【０００５】
また、黒鍵鍵盤７は、押鍵操作される鍵本体部１３の形状、つまり鍵本体部１３の長さおよび高さが白鍵鍵盤６の鍵本体部１０と異なり、これ以外はほぼ同じ構造になっている。すなわち、黒鍵鍵盤７は、鍵本体部１３の後端部に薄肉形状の弾性変形部１４が後方に向けてほぼ水平に突出形成され、この弾性変形部１４の後端部に黒鍵用の連結固定部１５が形成された構造になっている。この黒鍵用の連結固定部１５も、白鍵用の連結固定部１２と同様、鍵本体部１３の配列方向に沿って形成され、複数の鍵本体部１３が並列に配置された状態で、その各弾性変形部１４の後端部がそれぞれ連結形成されている。
【０００６】
そして、白鍵用および黒鍵用の連結固定部１２、１５は、図７に示すように、黒鍵用の連結固定部１５上に白鍵用の連結固定部１２を重ね合わせ、この状態で鍵盤シャーシ部４上に配置されてビス１６により固定されている。なお、白鍵鍵盤６および黒鍵鍵盤７の各鍵本体部１０、１３の内部には、それぞれ２つの押圧部１７が各鍵本体部１０、１３の下側に突出して形成されている。また、白鍵鍵盤６および黒鍵鍵盤７の各前部側（図７では左部側）には、それぞれＬ字状のストッパ片１８が各鍵本体部１０、１３の下側に突出して形成されている。
【０００７】
一方、鍵盤シャーシ部４は、図７に示すように、楽器ケース１の下ケース２における手前側（同図では左側）の箇所に一体に形成されている。この鍵盤シャーシ部４の下面には、回路基板２０が設けられており、この回路基板２０上には、２つのゴムスイッチ２１が鍵盤シャーシ部４の開口部２２を通して上方に突出して設けられている。これら２つのゴムスイッチ２１は、白鍵鍵盤６および黒鍵鍵盤７の各鍵本体部１０、１３が押鍵操作されたときに、鍵本体部１０、１３に形成された２つの押圧部１７によってそれぞれ押圧され、これによりスイッチ信号を出力するように構成されている。
【０００８】
また、鍵盤シャーシ部４の前側（図７では左側）の下面には、白鍵鍵盤６および黒鍵鍵盤７の各鍵本体部１０、１３が押鍵されない通常状態のときに、ゴムスイッチ２１および弾性変形部１１、１４の各弾性力により各鍵本体部１０、１３が押し上げられることにより、鍵盤シャーシ部４のストッパ孔４ａに挿入された各ストッパ片１８の先端上部が当接して鍵本体部１０、１３を上限位置に規制する上限ストッパ２３が設けられている。さらに、白鍵鍵盤６および黒鍵鍵盤７の各鍵本体部１０、１３にそれぞれ対応する箇所の鍵盤シャーシ部４上には、各鍵本体部１０、１３の内面をそれぞれ上下方向にガイドして各鍵本体部１０、１３の横振れを防ぐ鍵ガイド部２４が上方に突出して形成されている。
【０００９】
【発明が解決しようとする課題】
ところで、楽器ケース１は、図７に示すように、下ケース２上に上ケース３が鍵盤装置５の各鍵本体部１０、１３を露出させた状態で取り付けられている。すなわち、上ケース３は、鍵盤装置５の後端部分、つまり鍵盤装置５の各弾性変形部１１、１４、各連結固定部１２、１５、およびビス１６を覆い隠した状態で下ケース２上に取り付けられている。この場合、上ケース３は、各連結固定部１２、１５の後方に位置する内面にボス部２５が設けられ、このボス部２５の下端面が鍵盤シャーシ部４の後部上面に当接し、この当接した箇所の鍵盤シャーシ部４に設けられた取付孔２６を通してビス２７がボス部２５のねじ孔に螺着することにより、鍵盤シャーシ部４上に取り付けられている。
【００１０】
また、この上ケース３には、操作釦部３０などの部品が設けられている。例えば、部品である操作釦部３０は、演奏中に操作するリズム制御系などのスイッチ部であり、図７に示すように、上ケース３の内面に設けられたボス３１にスイッチ基板３２がビス３３により取り付けられ、このスイッチ基板３２上に釦部３４が上ケース３の釦孔３５から外部に突出した状態で配置されている。この場合、ボス３１は、図７ではスイッチ基板３２の前部側に位置する箇所のみが示されているが、実際にはスイッチ基板３２の後部に対応する箇所にも設けられている。このような操作釦部３０は、演奏者による操作性の向上を図るために、鍵盤装置５にできるだけ近付けて設置することが望ましい。
【００１１】
しかしながら、このような鍵盤装置５では、白鍵鍵盤６および黒鍵鍵盤７の後部に設けられた各弾性変形部１１、１４および各連結固定部１２、１５を避けて、その後方に上ケース３のボス部２５や操作釦部３０などを設置しなければならない。このため、図７に示すように、鍵盤装置５の各鍵本体部１０、１３の後部上方にデッドスペースが生じ、このデッドスペースによって操作釦部３０が鍵盤装置５から後方に遠く離れて設置されるため、上ケース３の奥行きが長くなり、楽器全体が大型化するという問題がある。
【００１２】
この発明の課題は、鍵本体部の後部上方に生じるデッドスペースを有効に利用して楽器全体の小型化を図ることである。
【００１３】
【課題を解決するための手段】
請求項１に記載の発明は、押鍵操作される鍵本体部と、この鍵本体部の後端部に形成されて前記鍵本体部の押鍵操作に応じて弾性変形する弾性変形部と、この弾性変形部の後端部に形成されて鍵盤シャーシ上に固定される連結固定部とを備えた鍵盤装置において、
前記連結固定部の上部には、ほぼ円弧状の凸曲面部が形成され、この凸曲面部における前記鍵本体部側に位置する端部には、前記凸曲面部上に部品を当接させて係止する係止部が一体に形成されていることを特徴とする。
この発明によれば、連結固定部の上部に凸曲面部を形成し、この凸曲面部の鍵本体部側に位置する端部に係止部を形成したので、ほぼ円弧状の凸曲面部上に部品をその傾きに応じて当接させ、この状態で部品の端部を係止部によって係止することができ、このため部品を簡単に取り付けることができるとともに、部品を鍵本体部側に近付けて設置することができ、これにより鍵本体部の後部上方に生じるデッドスペースを有効に利用して楽器全体の小型化を図ることができる。
【００１６】
請求項２に記載の発明は、押鍵操作される鍵本体部と、この鍵本体部の後端部に形成されて前記鍵本体部の押鍵操作に応じて弾性変形する弾性変形部と、この弾性変形部の後端部に形成されて鍵盤シャーシ上に固定される連結固定部とを備えた鍵盤装置において、
前記連結固定部の後部側に位置する箇所の前記鍵盤シャーシ上には、その上方に突出して前記連結固定部上を乗り越えて前記連結固定部の前側に到達する支持部が設けられ、
前記連結固定部の前側に位置する前記支持部の先端には、部品を係止する係止部が形成されていることを特徴とする。
【００１７】
この発明によれば、鍵盤シャーシ上に設けられた支持部が連結固定部上を乗り越えてその前側に到達し、この支持部の先端に部品を係止する係止部が形成されているので、部品を連結固定部の上方に位置させた状態で、その部品の端部を係止部によって係止することができ、このため部品を簡単に取り付けることができるとともに、部品を鍵本体部側に近付けて設置することができ、これにより鍵本体部の後部上方に生じるデッドスペースを有効に利用して楽器全体の小型化を図ることができる。
【００１８】
この場合、請求項３に記載のごとく、前記連結固定部の上部には、ほぼ円弧状の凸曲面部が形成され、前記支持部は連結固定部の上部に対応する箇所が前記凸曲面部に対応するほぼ円弧状の凸曲面部に形成され、前記係止部は前記部品を前記支持部の前記凸曲面に当接させて係止する構造であれば、請求項１に記載の発明と同様、支持部の凸曲面部上に部品をその傾きに応じて当接させ、この状態で部品の端部を係止部によって係止することができるので、部品を簡単に取り付けることができるほか、特に、鍵盤シャーシ上に設けられた支持部によって連結固定部を鍵盤シャーシ上に挾み付けて固定することができ、このためビスなどの締結部材を用いずに、連結固定部を簡単に鍵盤シャーシ上に固定することができる。
【００１９】
【発明の実施の形態】
［第１実施形態］
以下、図１〜図３を参照して、この発明の鍵盤装置を電子鍵盤楽器に適用した第１実施形態について説明する。なお、図７に示された従来例と同一部分には、同一符号を付して説明する。
この電子鍵盤楽器は、白鍵鍵盤６の白鍵用の連結固定部１２と黒鍵鍵盤７の黒鍵用の連結固定部１５とのうち、最上部に位置する白鍵用の連結固定部１２の形状、および鍵盤シャーシ部４に対する白鍵用と黒鍵用の各連結固定部１２、１５の取付構造が従来例と異なり、これら以外は従来例とほぼ同じ構造になっている。
【００２０】
この場合、黒鍵用の連結固定部１５の上に配置される白鍵用の連結固定部１２は、白鍵鍵盤６の鍵本体部１０を１つ置きに一体成形したものを２つ組み合わせるものであり、実際には上下２段の連結固定部からなっている。この白鍵用の連結固定部１２の上部には、図１および図２に示すように、上方に向けて凸となる凸曲面部４０が形成されている。この凸曲面部４０は、その内部が中空状に形成され、上端面がほぼ円弧状に形成された中空状のほぼ蒲鉾形状に形成されている。また、この凸曲面部４０における鍵本体部１０側の一端部には、図１に示すように、操作釦部３０のスイッチ基板３２の一端部側（同図では左端部側）を凸曲面部４０の上面に当接させた状態で、そのスイッチ基板３２の一端部を係止する係止フック部４１が一体に形成されている。
【００２１】
この係止フック部４１は、鍵本体部１０側に位置する凸曲面部４０の一端部（図１では左端部）からほぼ法線方向に向けて延び、その上部が凸曲面部４０の上面に沿って後方（図１では右方）に延び、その先端が凸曲面部４０の上面の中間部分に位置し、これにより全体が上下方向に弾性変形し、凸曲面部４０の上面との間にスイッチ基板３２の一端部を弾力的に挾み付けるように構成されている。この場合、係止フック部４１の先端部には、スイッチ基板３２に設けられた係合凹部３２ａに係合する係止突起４１ａが形成されている。また、この係止フック部４１は、図３に示すように、白鍵用の連結固定部１２の長手方向、つまり鍵本体部１０の配列方向に所定間隔で形成されている。なお、図３は、白鍵用の鍵本体部１０を１つ置きに配置して一体に形成した最上部の白鍵鍵盤６を示している。
【００２２】
また、白鍵用および黒鍵用の各連結固定部１２、１５には、図２に示すように、取付ねじであるビス４２が上下方向に挿通する貫通孔４３が形成されている。この貫通孔４３は、鍵本体部１０、１３の長手方向に長い長孔で、図３に示すように、係止フック部４１の間に位置する箇所に所定間隔で設けられている。また、白鍵用および黒鍵用の各連結固定部１２、１５が取り付けられる箇所の鍵盤シャーシ部４には、取付孔４４が各貫通孔４３に対応して設けられている。これら取付孔４４の縁部に位置する鍵盤シャーシ部４の下面には、ビス４２の傾きを規制する傾き規制部４５がそれぞれ形成されている。これら傾き規制部４５は、下方に向けて凸となる球状曲面部に形成されている。
【００２３】
なお、白鍵用の連結固定部１２の凸曲面部４０上に配置されるスイッチ基板３２には、ビス４２が挿入する挿入孔４６が凸曲面部４０の貫通孔４３に対応して形成されている。また、上ケース３の内面には、ねじ孔を有するボス部４７が凸曲面部４０の貫通孔４３に対応して設けられている。このボス部４７は、上ケース３が下ケース２上に配置されたときに、ボス部４７の下端面が凸曲面部４０の上面に載置されたスイッチ基板３２の上面に当接し、この状態で上ケース３を下ケース２に対して固定するとともに、スイッチ基板３２を上ケース３の上面とほぼ平行な状態に傾けて固定するように構成されている。
【００２４】
次に、このような電子鍵盤楽器を組み立てる場合について説明する。
まず、白鍵鍵盤６の連結固定部１２と黒鍵鍵盤７の連結固定部１５とを重ね合わせて各鍵本体部１０、１３を並列に組み合わせ、この状態で鍵盤シャーシ部４上に配置し、白鍵用および黒鍵用の各連結固定部１２、１５の貫通孔４３を鍵盤シャーシ部４の取付孔４４に対応させる。このときには、黒鍵用の連結固定部１５上に白鍵用の連結固定部１２を配置し、この状態で黒鍵鍵盤７の連結固定部１５を鍵盤シャーシ部４上に配置する。
【００２５】
そして、図１に示すように、白鍵用の連結固定部１２の上部に形成された円弧状の凸曲面部４０上に操作釦部３０のスイッチ基板３２の一端部側（同図では左端部側）をその傾きに応じて当接させ、この状態でスイッチ基板３２の一端部を凸曲面部４０の各係止フック部４１に差し込む。これにより、スイッチ基板３２の一端部が係止フック部４１により弾力的に挾み付けられ、スイッチ基板３２の係合凹部３２ａに係止フック部４１の係止突起４１ａが係合し、スイッチ基板３２が係止フック部４１によって凸曲面部４０上に取り付けられる。このときには、白鍵用および黒鍵用の各連結固定部１２、１５の貫通孔４３にスイッチ基板３２の挿入孔４６が対応する。
【００２６】
この後、下ケース２上に上ケース３を取り付ける。このときには、図２に示すように、下ケース２の鍵盤シャーシ部４上に配置された鍵盤装置５の後端部分、つまり鍵盤装置５の各弾性変形部１１、１４、各連結固定部１２、１５、および係止フック部４１を上ケース３で覆い隠すとともに、上ケース３の内面に形成されたボス部４７の下端面をスイッチ基板３２の挿入孔４６に対応する箇所の上面に当接させる。この状態で、鍵盤シャーシ部４の下側からビス４２を、鍵盤シャーシ部４の取付孔４４、各連結固定部１２、１５の貫通孔４３、およびスイッチ基板３２の挿入孔４６に挿入させて上ケース３のボス部４７のねじ孔に螺着する。
【００２７】
これにより、上ケース３が下ケース２に固定されるとともに、上ケース３のボス部４７と白鍵用の連結固定部１２の凸曲面部４０との間にスイッチ基板３２が挾み付けられた状態で固定される。このときには、鍵盤シャーシ部４の下面に傾き規制部４５が形成され、この傾き規制部４５が下方に向けて凸となる球状曲面部に形成されているので、ビス４２が鍵盤シャーシ部４に対し傾いていても、その傾きに応じてビス４２の頭部が傾き規制部４５の球状曲面部に沿って移動し、これによりビス４２の頭部を任意の角度に傾けることができる。このため、上ケース３の上面の傾斜角度に応じてボス部４７が傾き、これに伴ってビス４２が鍵盤シャーシ部４に対し傾いていても、傾き規制部４５の球状曲面部によりガタ付くことなく、確実にビス４２を締め付けて固定することができる。
【００２８】
このような電子鍵盤楽器では、白鍵用の連結固定部１２の上部に円弧状の凸曲面部４０を形成し、この凸曲面部４０における鍵本体部１０、１３側に位置する端部に係止フック部４１を形成したことにより、凸曲面部４０上にスイッチ基板３２の一端部側をその傾きに応じて当接させ、この状態でスイッチ基板３２の一端部を係止フック部４１によって係止することができ、これによりスイッチ基板３２を簡単に取り付けることができる。また、白鍵用および黒鍵用の各連結固定部１２、１５の貫通孔４３、鍵盤シャーシ部４の取付孔４４、スイッチ基板３２の挿入孔４６にビス４２を挿入させて上ケース３のボス部４７に螺着することにより、白鍵用および黒鍵用の各連結固定部１２、１５を鍵盤シャーシ部４上に固定するときに、白鍵用の連結固定部１２の凸曲面部４０上にスイッチ基板３２をその傾きに応じて当接させた状態で固定することができ、これによりスイッチ基板３２を安定させた状態で固定することができる。
【００２９】
このように、この電子鍵盤楽器によれば、スイッチ基板３２を白鍵用の連結固定部１２の凸曲面部４０上に配置させることができるので、操作釦部３０を鍵本体部１０、１３側に近付けて設置することができ、これにより鍵本体部１０、１３の後部上方に生じるデッドスペースを有効に利用することができ、楽器全体の小型化を図ることができる。
【００３０】
なお、上記第１実施形態では、白鍵用および黒鍵用の各連結固定部１２、１５が配置される箇所、つまり取付孔４４の縁部に位置する箇所の鍵盤シャーシ部４の下面に、下向きに凸となる球状曲面部の傾き規制部４５を形成した場合について述べたが、これに限らず、例えば、図４に示すように、取付孔４４の縁部に位置する箇所の鍵盤シャーシ部４の下面に、上ケース３の上面とほぼ平行な角度で傾斜した傾斜部からなる傾き規制部４８を形成した構造であっても良い。このような構造であっても、第１実施形態と同様、上ケース３の上面の傾斜に応じてビス４２が鍵盤シャーシ部４に対し傾いても、傾斜部からなる傾き規制部４８によりビス４２をガタ付くことなく確実に締め付けて固定することができる。
【００３１】
［第２実施形態］
次に、図５を参照して、この発明の鍵盤装置を電子鍵盤楽器に適用した第２実施形態について説明する。この場合には、図１〜図３に示された第１実施形態と同一部分に同一符号を付して説明する。
この電子鍵盤楽器は、楽器ケース１内に組み込まれる部品がフロッピディスク駆動装置５０で、これに伴って白鍵用の連結固定部１２の上部の凸曲面部５１、および上ケース５２の構造が第１実施形態と異なり、これら以外は第１実施形態とほぼ同じ構造になっている。この場合、フロッピディスク駆動装置５０は、その前面（図５では左側の側面）からフロッピディスク（図示せず）が挿脱可能に差し込まれ、この状態でデータの読み出し、書き込みを行うものである。
【００３２】
白鍵用の連結固定部１２の凸曲面部５１は、その連結固定部１２の上方に突出し、この突出した上部がほぼ円弧状に形成され、この円弧状の上端面が黒鍵鍵盤７の鍵本体部１３の上面とほぼ同じ高さに形成されている。
上ケース５２は、その内部にフロッピディスク駆動装置５０を収容するために、その高さが第１実施形態の上ケース３よりも高く形成されている。この上ケース５２の内面には、凸曲面部５１の上面に当接するボス部５３と、フロッピディスク駆動装置５０の取付板５５が取り付けられる取付ボス部５４とが形成されている。この場合、凸曲面部５１に当接するボス部５３は、取付ボス部５４よりもフロッピディスク駆動装置５０のほぼ厚さ分だけ、下方に長く形成されている。また、上ケース５２の前面（図５では左側面）には、フロッピディスク駆動装置５０の前端部が挿入する開口部５６が形成されている。
【００３３】
この場合、白鍵用および黒鍵用の各連結固定部１２、１５には、第１実施形態と同様、ビス４２が上下方向に挿通する貫通孔４３が上ケース５２のボス部５３に対応して設けられており、これら各連結固定部１２、１５が配置される箇所の鍵盤シャーシ部４には、貫通孔４３に対応する取付孔４４が設けられている。そして、この取付孔４４の縁部に位置する鍵盤シャーシ部４の下面には、ビス４２の傾きを規制する傾き規制部４５が形成されている。この傾き規制部４５は、第１実施形態と同様、下方に向けて凸となる球状曲面部に形成されている。
【００３４】
このような電子鍵盤楽器を組み立てる場合には、予め、上ケース５２の前面の開口部５６内にフロッピディスク駆動装置５０の前端部を挿入させ、この状態で上ケース５２の取付ボス部５４にフロッピディスク駆動装置５０の取付板５５をビス５７で取り付けることにより、上ケース５２にフロッピディスク駆動装置５０を所定角度に傾斜させた状態で固定する。この状態で、第１実施形態と同様、白鍵鍵盤６と黒鍵鍵盤７とを組み合わせて鍵盤シャーシ部４上に配置し、白鍵用および黒鍵用の各連結固定部１２、１５の貫通孔４３を鍵盤シャーシ部４の取付孔４４に対応させる。
【００３５】
この後、図５に示すように、上ケース５２を下ケース２上に配置する。このときには、第１実施形態と同様、鍵盤シャーシ部４上に配置された鍵盤装置５の後端部分、つまり鍵盤装置５の各弾性変形部１１、１４、各連結固定部１２、１５を上ケース５２で覆い隠すとともに、上ケース５２に固定されたフロッピディスク駆動装置５０の下面および上ケース５２のボス部５３の下端面を白鍵用の連結固定部１２の凸曲面部５１の上面に当接させる。この状態では、凸曲面部５１の上面にフロッピディスク駆動装置５０がその傾きに応じて当接し、またボス部５３が各連結固定部１２、１５の貫通孔４３に対応する。
【００３６】
そして、鍵盤シャーシ部４の下側からビス４２を鍵盤シャーシ部４の取付孔４４、各連結固定部１２、１５の貫通孔４３に挿入させて上ケース５２のボス部５３に螺着する。これにより、上ケース５２が下ケース２に固定されるとともに、上ケース５２に取り付けられたフロッピディスク駆動装置５０が白鍵用の連結固定部１２の凸曲面部５１上に載置された状態で固定される。このときにも、鍵盤シャーシ部４の下面に傾き規制部４５が形成されているので、ビス４２が鍵盤シャーシ部４に対し傾いていても、傾き規制部４５の球状曲面部によりガタ付くことなく、確実にビス４２を締め付けて固定することができる。
【００３７】
このように、この電子鍵盤楽器では、白鍵用および黒鍵用の各連結固定部１２、１５の貫通孔４３、鍵盤シャーシ部４の取付孔４４にビス４２を挿入させて上ケース３のボス部５３に螺着し、これにより各連結固定部１２、１５を鍵盤シャーシ部４上に固定するときに、白鍵用の連結固定部１２の凸曲面部５１上にフロッピディスク駆動装置５０をその傾きに応じて当接させて固定することができるとともに、鍵盤シャーシ部４の下面に形成された傾き規制部４５により、ビス４２が鍵盤シャーシ部４に対し傾いていてもガタ付くことなく、確実にビス４２を締め付けて固定することができる。このため、フロッピディスク駆動装置５０を楽器ケース１内に安定させた状態で確実に固定できるとともに、フロッピディスク駆動装置５０を鍵本体部１０、１３に近付けて設置することができ、これにより鍵本体部１０、１３の後部上方に生じるデッドスペースを有効に利用して楽器全体の小型化を図ることができる。
【００３８】
［第３実施形態］
次に、図６を参照して、この発明の鍵盤装置を電子鍵盤楽器に適用した第３実施形態について説明する。この場合にも、図１〜図３に示された第１実施形態と同一部分には同一符号を付して説明する。
この電子鍵盤楽器は、鍵盤シャーシ部４に対する白鍵用および黒鍵用の各連結固定部１２、１５の固定構造、および部品である操作釦部３０のスイッチ基板３２の取付構造が第１実施形態と異なり、これら以外は第１実施形態とほぼ同じ構造になっている。この場合、黒鍵用の連結固定部１５上に配置される白鍵用の連結固定部１２の上部には、第１実施形態と同様、ほぼ円弧状の凸曲面部４０が形成されている。
【００３９】
鍵盤シャーシ部４には、図６に示すように、白鍵用および黒鍵用の各連結固定部１２、１５の後部側（同図では右側）に位置する箇所に支持部６０が形成されている。この支持部６０は、鍵盤シャーシ部４から上方に突出し、白鍵用の連結固定部１２上を乗り越えてその前側（同図では左側）に到達するように形成されている。この場合、支持部６０は、白鍵用の連結固定部１２の上部に対応する箇所が、連結固定部１２の上部の凸曲面部４０に対応するほぼ円弧状の凸曲面部６１に形成され、この凸曲面部６１の下面に連結固定部１２の凸曲面部４０の上面が密接した状態で、鍵盤シャーシ部４上に互いに重ね合わされた白鍵用と黒鍵用の各連結固定部１２、１５を弾力的に挾み付けるように構成されている。
【００４０】
また、この支持部６０の先端、つまり連結固定部１２の前側に位置する支持部６０の先端には、図６に示すように、スイッチ基板３２の一端側（同図を左端部側）を支持部６０の凸曲面部６１の上面に当接させた状態で、そのスイッチ基板３２の一端部を係止する係止フック部６２が一体に形成されている。この係止フック部６２は、第１実施形態の係止フック部４１と同様、支持部６０の凸曲面部６１の一端部（同図では左端部）からほぼ法線方向に向けて延び、その上部が凸曲面部６１の上面に沿って後方（同図では右方）に延びて凸曲面部６１の中間部分に位置し、これにより全体が上下方向に弾性変形して、凸曲面部６１の上面との間にスイッチ基板３２の一端部を弾力的に挾み付けるように構成されている。この場合にも、係止フック部６２の先端部には、スイッチ基板３２に設けられた係合凹部３２ａに係合する係止突起６２ａが形成されている。また、この係止フック部６２は、白鍵用の連結固定部１２の長手方向、つまり鍵本体部１０の配列方向に所定間隔で形成されている。
【００４１】
このような電子鍵盤楽器では、黒鍵用の連結固定部１５上に白鍵用の連結固定部１２を重ね合わせて白鍵鍵盤６と黒鍵鍵盤７とを組み合わせ、この状態で鍵盤シャーシ部４上に取り付けるときに、図６に示すように、重ね合わされた各連結固定部１２、１５を鍵盤シャーシ部４と支持部６０との間に前側（同図では左側）から押し込む。このときには、支持部６０が弾性変形して上方に広がった後に弾性復帰することにより、支持部６０の凸曲面部６１が白鍵用の連結固定部１２の凸曲面部４０を覆って密着する。これにより、各連結固定部１２、１５が重ね合わされた状態で鍵盤シャーシ部４上に固定される。
【００４２】
この状態で、支持部６０の円弧状の凸曲面部６１上にスイッチ基板３２の一端部側（図６では左端部側）をその傾きに応じて当接させ、この状態でスイッチ基板３２の一端部を支持部６０の各係止フック部６２に差し込む。これにより、スイッチ基板３２の一端部が係止フック部６２により弾力的に挾み付けられ、スイッチ基板３２の係合凹部３２ａに係止フック部６２の係止突起６２ａが係合し、スイッチ基板３２が係止フック部６２によって支持部６０の凸曲面部６１上に係止される。この後、下ケース２上に上ケース３を取り付ける。
【００４３】
このように、この電子鍵盤楽器によれば、白鍵用および黒鍵用の各連結固定部１２、１５の後部側に位置する箇所の鍵盤シャーシ部４上に、各連結固定部１２、１５上を乗り越えてその前側に到達する支持部６０を形成し、かつ白鍵用の連結固定部１２の上部に対応する箇所の支持部６０を円弧状の凸曲面部６１に形成し、この支持部６０の先端に係止フック部６２を形成したので、第１実施形態と同様、凸曲面部６１上にスイッチ基板３２の一端部側をその傾きに応じて当接させ、この状態でスイッチ基板３２の一端部を係止フック部６２によって係止することができ、これによりスイッチ基板３２を簡単に取り付けることができるとともに、スイッチ基板３２を鍵本体部１０、１３側に近付けて設置することができるので、鍵本体部１０、１３の後部上方に生じるデッドスペースを有効に利用して楽器全体の小型化を図ることができる。
【００４４】
また、この電子鍵盤楽器によれば、鍵盤シャーシ部４上に形成された支持部６０が各連結固定部１２、１５上を乗り越えてその前側に到達するように形成され、かつ白鍵用の連結固定部１２の上部に対応する箇所の支持部６０が連結固定部１２の凸曲面部４０に対応する円弧状の凸曲面部６１に形成されているので、白鍵用および黒鍵用の各連結固定部１２、１５を重ね合わせた状態で鍵盤シャーシ部４上に取り付けるときに、各連結固定部１２、１５を鍵盤シャーシ部４と支持部６０の間に押し込むことにより、各連結固定部１２、１５を支持部６０で弾力的に挾み付けて固定することができ、このためビスなどの締結部材を用いずに連結固定部１２、１５を鍵盤シャーシ部４上に簡単に固定することができる。
【００４５】
なお、上記第１〜第３実施形態では、黒鍵鍵盤７の連結固定部１５上に白鍵鍵盤６の連結固定部１２を重ね合わせ、この白鍵用の連結固定部１２の上部に凸曲面部４０、５１を形成した場合について述べたが、これに限らず、白鍵鍵盤６の連結固定部１２上に黒鍵鍵盤７の連結固定部１５を重ね合わせ、この黒鍵用の連結固定部１５の上部に凸曲面部４０、５１を形成した構造でも良い。このような構造でも、上記第１〜第３実施形態と同様の作用効果がある。
【００４６】
また、上記第１〜第３実施形態では、鍵盤シャーシ部４が下ケース２に一体に形成されている場合について述べたが、これに限らず、下ケース２と別に鍵盤シャーシを形成して下ケース内に組付けるようにしても良い。この場合、鍵盤シャーシは、合成樹脂製でも、金属製でも良いが、金属製の場合には、傾き規制部４５、４８をプレス加工により形成し、また支持部６０およびその係止フック部６１を切り起しにより形成するか、あるいは別部品として形成して鍵盤シャーシ上に取り付ければ良い。
さらに、上記第１〜第３実施形態では、楽器ケース１に組み込まれる部品として、操作釦部３０とフロッピディスク駆動装置５０とについて述べたが、これに限らず、他の部品であっても良い。
【００４７】
【発明の効果】
以上説明したように、請求項１に記載の発明によれば、押鍵操作される鍵本体部の後端部に弾性変形部を介して連結固定部が形成され、この連結固定部が鍵盤シャーシ上に固定される鍵盤装置において、連結固定部の上部にほぼ円弧状の凸曲面部を形成し、この凸曲面部の鍵本体部側に位置する端部に係止部を一体に形成したので、ほぼ円弧状の凸曲面部上に部品をその傾きに応じて当接させ、この状態で部品の端部を係止部によって係止することができ、このため部品を簡単に取り付けることができるとともに、部品を鍵本体部側に近付けて設置することができ、これにより鍵本体部の後部上方に生じるデッドスペースを有効に利用して楽器全体の小型化を図ることができる。
【００４９】
請求項２に記載の発明によれば、連結固定部の後部側に位置する箇所の鍵盤シャーシ上に連結固定部上を乗り越えてその前側に到達する支持部を設け、この支持部の先端に部品を係止する係止部を形成したので、部品を連結固定部の上方に位置させた状態で、その部品の端部を係止部によって係止することができ、このため部品を簡単に取り付けることができるとともに、部品を鍵本体部側に近付けて設置することができ、これにより鍵本体部の後部上方に生じるデッドスペースを有効に利用して楽器全体の小型化を図ることができる。
【００５０】
この場合、連結固定部の上部にほぼ円弧状の凸曲面部が形成され、連結固定部の上部に対応する箇所の支持部が連結固定部の凸曲面部に対応するほぼ円弧状の凸曲面部に形成され、係止部が部品を支持部の凸曲面部に当接させて係止する構造であれば、請求項１記載の発明と同様、支持部の凸曲面部上に部品をその傾きに応じて当接させ、この状態で部品の端部を係止部によって係止することにより、部品を簡単に取り付けることができるほか、特に、鍵盤シャーシ上に設けられた支持部によって連結固定部を鍵盤シャーシ上に固定することができ、このためビスなどの締結部材を用いずに連結固定部を鍵盤シャーシ上に簡単に固定することができる。
【図面の簡単な説明】
【図１】この発明の鍵盤装置を電子鍵盤楽器に適用した第１実施形態における係止フック部に対応する箇所の断面図。
【図２】図１の第１実施形態における白鍵用および黒鍵用の各連結固定部の貫通孔に対応する箇所の断面図。
【図３】図１および図２における白鍵用および黒鍵用の各連結固定部の最上部に位置する白鍵鍵盤を示した平面図。
【図４】第１実施形態の変形例を示した白鍵用および黒鍵用の各連結固定部の貫通孔に対応する箇所の断面図。
【図５】この発明の鍵盤装置を電子鍵盤楽器に適用した第２実施形態における白鍵用および黒鍵用の各連結固定部の貫通孔に対応する箇所の断面図。
【図６】この発明の鍵盤装置を電子鍵盤楽器に適用した第３実施形態における係止フック部に対応する箇所の断面図。
【図７】従来の鍵盤装置を用いた電子鍵盤楽器の断面図。
【符号の説明】
４  鍵盤シャーシ部
６  白鍵鍵盤
７  黒鍵鍵盤
１０、１３  鍵本体部
１１、１４  弾性変形部
１２、１５  連結固定部
３２  スイッチ基板
４０、５１、６１  凸曲面部
４１、６２  係止フック部
４２  ビス
４３  貫通孔
４４  取付孔
４５、４８  傾き規制部
５０  フロッピディスク駆動装置
６０  支持部
【図１】
0004135296.tif 000002
【図２】
0004135296.tif 000003
【図３】
0004135296.tif 000004
【図４】
0004135296.tif 000005
【図５】
0004135296.tif 000006
【図６】
0004135296.tif 000007
【図７】
0004135296.tif 000008